(57)【要約】【課題】  スタンバイ時におけるマイコンの消費電力をきわめて良好に低減できる低消費電力装置を提供すること。【解決手段】  マイコン１１は、リモコン信号が入力され、第１の割り込み信号が割り込み端子１４に入力されるまで、低消費電力モードを継続する。第１の割り込み信号が入力されると、低消費電力モードと通常モードとを周期的に繰り返す間欠動作を実行し、リモコン信号の受信が終了すると、間欠動作を終了する。間欠動作の終了後は、マイコン１１は、リモコン信号が実行必要信号である場合、通常モードを継続し、そうでなければ低消費電力モードを継続する。【選択図】図３
2006190224.tif 000002
【特許請求の範囲】
【請求項１】
低消費電力モードと通常モードと有し、入力されたリモコン信号に基づく第１の割り込み信号が入力される割り込み端子を含む制御手段を備え、
該制御手段が、該第１の割り込み信号が該割り込み端子を介して該制御手段に入力されると、低消費電力モードと通常モードとを周期的に繰り返す間欠動作を実行し、
該リモコン信号を受信し終えた場合に該間欠動作を終了する、低消費電力装置。
【請求項２】
前記第１の割り込み信号が前記割り込み端子を介して前記制御手段に入力されるまで、該制御手段が低消費電力モードを継続する、請求項１に記載の低消費電力装置。
【請求項３】
前記リモコン信号が実行必要信号である場合、前記制御手段が、間欠動作の終了後、通常モードを継続し、
該リモコン信号が実行不要信号である場合、該制御手段が、間欠動作の終了後、低消費電力モードを継続する、請求項１または２に記載の低消費電力装置。
【請求項４】
前記制御手段が、メイン回路と、所定時間をカウントしたときに該メイン回路に第２の割り込み信号を与えるタイマー回路とを有し、
前記間欠動作が、該タイマー回路が所定時間をカウントするステップと、
該制御手段が通常モードから低消費電力モードに移行するステップと、
該タイマー回路が所定時間をカウントしたときに、該メイン回路に該第２の割り込み信号を与えるステップと、
該メイン回路が該第２の割り込み信号を受けると、該制御手段が低消費電力モードから通常モードに移行するステップとを含む、請求項１〜３のいずれかに記載の低消費電力装置。
【請求項５】
前記制御手段が、メイン回路と、所定時間をカウントしたときに該メイン回路に第２の割り込み信号を与えるタイマー回路と、該メイン回路および該タイマー回路にクロックを供給する発振回路とを有し、
前記第１の割り込み信号が前記割り込み端子に入力されるまでの低消費電力モードが、該発振回路が該メイン回路および該タイマー回路にクロックを供給しない第１の低消費電力モードであり、
前記間欠動作中の低消費電力モードが、該発振回路が該メイン回路にクロックを供給せず、該タイマー回路にクロックを供給する第２の低消費電力モードである、請求項２に記載の低消費電力装置。
【請求項６】
低消費電力モードと通常モードと有し、入力されたリモコン信号に基づく第１の割り込み信号が入力される割り込み端子を含む制御手段を備え、
該制御手段が、該第１の割り込み信号が該割り込み端子を介して該制御手段に入力されるまで低消費電力モードを継続し、
該第１の割り込み信号が該割り込み端子を介して該制御手段に入力されると、低消費電力モードと通常モードとを周期的に繰り返す間欠動作を実行する、低消費電力装置。
【発明の詳細な説明】
【技術分野】
【０００１】
本発明は、スタンバイ状態においてマイコンが動作を停止する低消費電力装置に関する。
【背景技術】
【０００２】
ＡＶ機器等の電子機器は、電源オフ時においてもユーザのリモコン操作に応じて電源をオン状態にできるように、マイクロコンピュータ（以下、単にマイコンとする）およびその周辺回路のみに電源を供給するスタンバイ状態（待機状態）を有している。しかし、最近はそのスタンバイ状態においても、さらなる省電力化が要求され、マイコンには、マイコンが実行する処理がない場合に、マイコンの動作自体も停止する低消費電力モードが設けられている。そして、リモコン信号が入力された場合に、マイコンの割り込み端子に割り込み信号を入力し、低消費電力モードから通常モードに移行するようにしている。ここで、リモコン信号が通常モードに移行する必要のない信号（例えば、ＣＤプレーヤーの場合、ストップ等）である場合には、通常モードから再び低消費電力モードに移行するが、リモコン信号が通常モードに移行する必要のない信号であるか否かはリモコン信号を最後まで受信しないと判断できない。従来の方法では、リモコン信号を解析している間、マイコンは通常モードを継続しているので、リモコン受信期間の消費電力を削減できないという問題がある。
【０００３】
また、下記特許文献１は、スタンバイ状態において、リモコン信号が入力されるまでは、マイコンは低消費電力モードと通常モードとを繰り返す間欠動作を実行し、リモコン信号が入力されると、通常モードを延長（継続）してリモコン信号を解析する装置が記載されている。しかし、この装置によると、上記と同様にリモコン信号を解析している間は通常モードを継続しているので、リモコン受信期間の消費電力を削減できない。さらに、この装置は、リモコン信号が入力されるまでは、間欠動作を実行し通常モードを所定周期で繰り返すので、平均消費電力が増大するという問題がある。リモコン信号を受信するまでの間、間欠動作を実行するのは、この装置が、割り込み端子を使用せずに、リモコン信号の入力を検出して、低消費電力モードから通常モードに移行することを目的とするからである。
【０００４】
また、下記特許文献２は、低消費電力モードから通常モードに移行する際に、低消費電力モードと通常モードとを繰り返す間欠動作を実行し、通常モードの期間を徐々に増加させることにより、平均消費電力を徐々に増加させる装置が記載されている。しかし、この装置によると、リモコン信号の受信が終わった後に間欠動作が実行される。そのため、リモコン信号に基づく動作を実行するのが遅くなるという問題がある。
【０００５】
【特許文献１】特開２００１−１４０７３号公報
【特許文献２】実用新案登録第３０６５０５８号公報
【発明の開示】
【発明が解決しようとする課題】
【０００６】
本発明の目的は、スタンバイ時におけるマイコンの消費電力をきわめて良好に低減できる低消費電力装置を提供することである。
【課題を解決するための手段】
【０００７】
本発明の好ましい実施形態による低消費電力装置は、低消費電力モードと通常モードと有し、入力されたリモコン信号に基づく第１の割り込み信号が入力される割り込み端子を含む制御手段を備える。該制御手段は、該第１の割り込み信号が該割り込み端子を介して該制御手段に入力されると、低消費電力モードと通常モードとを周期的に繰り返す間欠動作を実行し、該リモコン信号を受信し終えた場合に該間欠動作を終了する。
【０００８】
リモコン信号が入力されると、リモコン信号を受信している間、制御手段は、低消費電力モードと通常モードとを周期的に繰り返す。そのため、制御手段は、通常モードのときにリモコン信号を解析することができ、かつ、低消費電力モードのときに消費電力を低減することができる。そのため、リモコン受信期間の平均消費電力をきわめて良好に低減することができる。リモコン信号を受信し終えると、間欠動作を終了するので、実行する必要のないリモコン信号の場合には、直ちに低消費電力モードに移行することができる。従って、消費電力をさらに低減できる。リモコン信号を受信し終えるとは、リモコン信号を正確に全て受信し終えた場合の他に、リーダーコード（またはカスタムコード）が異なる、あるいは妨害信号が混入しコードを解析できない等の理由により、リモコン信号を途中で破棄した場合も含まれる。
【０００９】
好ましい実施形態においては、上記第１の割り込み信号が上記割り込み端子を介して上記制御手段に入力されるまで、該制御手段は低消費電力モードを継続する。
【００１０】
従って、リモコン信号が入力されるまでは常に低消費電力モードを継続するので、スタンバイ時における消費電力をさらに低減することができる。
【００１１】
好ましい実施形態においては、上記リモコン信号が、実行必要信号である場合、上記制御手段は、間欠動作の終了後、通常モードを継続する。該リモコン信号が、実行不要信号である場合、該制御手段は、間欠動作の終了後、低消費電力モードを継続する。
【００１２】
実行必要信号の場合、間欠動作終了後、通常モードに移行するので、制御手段はリモコン信号に基づく処理を実行できる。一方、実行不要信号の場合、間欠動作終了後、低消費電力モードに移行するので、消費電力をさらに低減することができる。
【００１３】
好ましい実施形態においては、上記制御手段は、メイン回路と、所定時間をカウントしたときに該メイン回路に第２の割り込み信号を与えるタイマー回路とを有する。上記間欠動作は、該タイマー回路が所定時間をカウントするステップと、該制御手段が通常モードから低消費電力モードに移行するステップと、該タイマー回路が所定時間をカウントしたときに、該メイン回路に該第２の割り込み信号を与えるステップと、該メイン回路が該第２の割り込み信号を受けると、該制御手段が低消費電力モードから通常モードに移行するステップとを含む。
【００１４】
割り込み端子に第１の割り込み信号が入力されると、制御手段は通常モードに移行して、タイマー回路がカウント動作を開始する。その後、制御手段は、通常モードの間にリモコン信号を解析したあと、低消費電力モードに移行する。タイマー回路は所定時間をカウント終了すると、メイン回路に第２の割り込み信号を与え、制御手段は第２の割り込み信号によって通常モードに移行する。従って、制御手段が自動的に低消費電力モードに移行すること、および、タイマー回路からの第２の割り込み信号によって通常モードに移行することにより、制御手段は間欠動作を実行することができる。
【００１５】
好ましい実施形態においては、上記制御手段は、メイン回路と、所定時間をカウントしたときに該メイン回路に第２の割り込み信号を与えるタイマー回路と、該メイン回路および該タイマー回路にクロックを供給する発振回路とを有する。上記第１の割り込み信号が上記割り込み端子に入力されるまでの低消費電力モードは、該発振回路が該メイン回路および該タイマー回路にクロックを供給しない第１の低消費電力モードである。上記間欠動作中の低消費電力モードは、該発振回路が該メイン回路にクロックを供給せず、該タイマー回路にクロックを供給する第２の低消費電力モードである。
【００１６】
リモコン信号が入力されるまでの間は、制御手段は、メイン回路とタイマー回路との両方に発振回路からクロックが供給されない第１の低消費電力モードである。タイマー回路を動作させる必要がないからである。従って、制御手段はきわめて良好に消費電力を低減できる。一方、間欠動作時には、制御手段は、メイン回路にはクロックが供給されないが、タイマー回路にはクロックが供給される第２の低消費電力モードである。従って、メイン回路にクロックを供給しないことにより、消費電力を良好に低減でき、しかも、タイマー回路にクロックを供給することによりタイマー回路をカウント動作させることができる。そのため、制御手段の平均消費電力をきわめて良好に低減することができる。
【００１７】
本発明の別の好ましい実施形態の低消費電力装置は、低消費電力モードと通常モードと有し、入力されたリモコン信号に基づく第１の割り込み信号が入力される割り込み端子を含む制御手段を備える。該制御手段は、該第１の割り込み信号が該割り込み端子を介して該制御手段に入力されるまで、低消費電力モードを継続し、該第１の割り込み信号が該割り込み端子を介して該制御手段に入力されると、低消費電力モードと通常モードとを周期的に繰り返す間欠動作を実行する。
【００１８】
リモコン信号が入力されるまでは、制御手段は低消費電力モードを継続する。リモコン信号が入力されると、リモコン信号を受信している間、制御手段は、低消費電力モードと通常モードとを周期的に繰り返す。そのため、制御手段は、通常モードのときにリモコン信号を解析することができ、低消費電力モードのときに消費電力を低減することができる。そのため、制御手段の平均消費電力をきわめて良好に低減することができる。
【発明の効果】
【００１９】
制御手段は、リモコン信号に基づく第１の割り込み信号が割り込み端子に入力されると、低消費電力モードと通常モードとを周期的に繰り返す間欠動作を実行し、リモコン信号の受信が終了したことを判断した場合に、間欠動作を終了するので、電子機器の平均消費電力をきわめて良好に低減できる。
【発明を実施するための最良の形態】
【００２０】
以下、本発明の好ましい実施形態について、図面を参照して具体的に説明するが、本発明はこれらの実施形態には限定されない。図１は、本発明の好ましい実施形態による低消費電力装置１０を示す概略ブロック図である。低消費電力装置１０は、入力される割り込み信号によって、低消費電力モードから通常モードに移行する装置であり、制御手段１１およびリモコン受信回路１２を備えている。低消費電力装置１０は、例えばＣＤプレーヤー等の一般的な電子機器内に適用される。
【００２１】
制御手段１１は、低消費電力装置１０が適用され得る電子機器（例えば、ＣＤプレーヤー等）全体の動作を制御する（被制御部１５を制御する）ものであり、一般的にはマイクロコンピュータ（以下、単にマイコンとする）が採用され得る。マイコン１１は、メモリ１３（ＲＯＭおよび／またはＲＡＭ等）がバス等を介して接続または内蔵されており、メモリ１３内に格納されている各種プログラムを実行することにより、各種動作（例えば、ＣＤプレーヤーを再生状態にする等）を実行する。マイコン１１は、被制御部１５を制御するメイン回路１６と、発振回路１７と、タイマー回路１８とを有する。発振回路１７は、クロックを生成し、メイン回路１６およびタイマー回路１８に生成したクロックを供給する。タイマー回路１８は、発振回路１７からクロックを受けて、クロックに基づいて所定時間をカウントする。具体的には、クロックのパルスの回数をカウントすることにより、所定時間をカウントする。タイマー回路１８は、所定時間をカウントし終えると、そのタイミングでメイン回路１６に第２の割り込み信号を与える。第２の割り込み信号は、後述する間欠動作の通常モードへの移行に使用される。メイン回路１６は、発振回路１７からのクロックを受けて各種動作を実行する。また、メイン回路１６は、発振回路１７にクロック供給の停止を指示したり、タイマー回路１８にカウント動作を開始／停止を指示する。
【００２２】
低消費電力装置１０は、ユーザのリモコン操作によってメイン電源をオン状態にできるようにマイコン１１、メモリ１３およびリモコン受信回路１２のみに電源を供給するいわゆるスタンバイ状態（待機状態）を有している。すなわち、メイン電源が低消費電力装置１０全体に電気的に接続されているのに対して、スタンバイ電源はマイコン１１、メモリ１３およびリモコン受信回路１２のみに電気的に接続されている。スタンバイ状態では、メイン電源がオフ状態になっており、スタンバイ電源のみがオン状態になっている。ここで、オフ状態とは例えば図示しないスイッチが開放されることにより電源が供給されないことを意味し、オン状態とはスイッチが短絡されることにより電源が供給されることを意味する。
【００２３】
マイコン１１は、その動作状態として、通常モードと低消費電力モードとを有している。通常モードはマイコン２が動作を実行可能な状態であり、具体的には発振回路１７からメイン回路１６にクロックが供給されている状態である。低消費電力モードは、マイコン２が動作を停止することにより、消費電力をさらに低減させた状態である。低消費電力モードは、具体的には、発振回路１７からメイン回路１６にクロックが与えられない状態である。低消費電力モードには、さらに、タイマー回路１８へのクロック供給も停止する（この場合、発振回路１７の発振動作自体を停止してもよい）第１の低消費電力モードと、タイマー回路１８へクロックを供給する第２の低消費電力モードとの２種類のモードがある。タイマー回路１８にクロックを供給しない第１の低消費電力モードは、消費電力をさらに低減できる。マイコン１１は、通常モードにおいてリモコン信号の解析や、リモコン信号に基づく各種動作を実行することができるが、低消費電力モードではこれらの動作を実行できない。そのため、スタンバイ状態が解除された状態では、マイコンは常に通常モードであり、スタンバイ状態では、マイコンは低消費電力モードでも通常モードでも構わない。なお、発振回路１７のクロック有無は以下のように制御される。発振回路１７からメイン回路１６および／またはタイマー回路１８へのクロック供給の停止はメイン回路１６からの指示によって行われる（例えば、発振回路１７とメイン回路１６および／またはタイマー回路１８との間に設けられたスイッチが開放される）。発振回路１７からメイン回路１６および／またはタイマー回路１８へのクロック供給の開始は第１の割り込み信号または第２の割り込み信号によって行われる（例えば、発振回路１７とメイン回路１６および／またはタイマー回路１８との間に設けられたスイッチが短絡される）。
【００２４】
マイコン１１は、割り込み端子１４を有している。割り込み端子１４は、リモコン受信回路１２に接続されており、リモコン受信回路１２に入力されたリモコン信号が電気信号に変換され、入力される端子である。割り込み端子１４に入力された信号は、第１の割り込み信号としてメイン回路１６に供給されると共に、リモコン信号としてメイン回路１６に供給される。第１の割り込み信号は、低消費電力モードを継続している状態において、マイコン１１が低消費電力モードから通常モードに移行するための信号である。すなわち、マイコン１１は、低消費電力モードにおいて、割り込み端子１４に第１の割り込み信号が入力されると、その第１の割り込み信号のエッジで割り込みを発生させて、通常モードに移行する。
【００２５】
図２（ａ）および（ｂ）は、リモコン信号（第１の割り込み信号）とマイコン１１の動作状態とを説明するタイムチャートである。スタンバイ状態において、リモコン信号が入力されるまでは、マイコン１１は、常に第１の低消費電力モードを継続する（期間Ｔ１）。スタンバイ状態において、リモコン信号が入力されて、リモコン信号を解析している時、マイコン１１は、通常モードと第２の低消費電力モードとを周期的に繰り返す（これを間欠動作という）（期間Ｔ２）。つまり、間欠動作における通常モード時にリモコン信号を解析する。マイコン１１はリモコン信号を解析する際にリモコン信号のハイレベルまたはローレベルを判断するが、リモコン信号のコードの周期に比べて間欠動作の周期を小さく（例えば、２５０マイクロ秒）することにより、通常モード時のみリモコン信号を解析して、第２の低消費電力モード時にリモコン信号を解析しなくても、正確にリモコン信号を解析できる。次に、スタンバイ状態が解除された（パワーオン）状態において、マイコン１１は、リモコン信号の入力に関わらず、通常モードを継続する（図２（ｂ）の期間Ｔ３）。なお、図２（ａ）の期間Ｔ３では、リモコン信号が実行不要信号であるので、スタンバイ状態を解除せず、マイコン１１は第１の低消費電力モードを継続する（詳細は後述する）。
【００２６】
以下、低消費電力装置１０の動作の詳細を図２および図３を用いて説明する。図３は、低消費電力装置１０の動作（割り込みルーチン）を示すフローチャートである。まず、例えば図２（ａ）を参照して、マイコン１１のスタンバイ状態（期間Ｔ１，Ｔ２）における処理について説明する。最初に通常モードから低消費電力モードに移行するまでの処理を説明すると、マイコン１１は機器がスタンバイ状態であり（Ｓ３０２：ＹＥＳ）、リモコン信号を受信していないので（Ｓ３０３，Ｓ３０７：ＮＯ）、タイマー回路１８の動作を停止させて、タイマー回路１８からの第２の割り込み信号を受け付けないように無効にする（Ｓ３０８）。次に、マイコン１１は、リモコン受信回路１２から割り込み端子１４を介して入力される第１の割り込み信号を受け付けることができるように有効にする（Ｓ３０９）。その後、メイン回路１６が発振回路１７にメイン回路１６およびタイマー回路１８へのクロック供給を停止するよう指示することにより、マイコン１１は第１の低消費電力モードに移行する（Ｓ３１０）。その結果、期間Ｔ１において、リモコン信号がリモコン受信回路１２に入力される（すなわち、割り込み端子１４経由で第１の割り込み信号がメイン回路１６に入力される）までは、マイコン１１は第１の低消費電力モードを継続している（Ｓ３１０）。すなわち、メイン回路１６およびタイマー回路１８の両方にクロックが供給されない、マイコン１１の消費電力を最も低減できる状態にある。
【００２７】
次にリモコン信号が入力中の期間Ｔ２について説明する。リモコン受信回路１２は、リモコン信号を受信すると、リモコン信号を電気信号に変換し、割り込み端子１４に入力する。マイコン１１は、リモコン受信回路１２から割り込み端子１４を介してメイン回路１６に第１の割り込み信号が入力されて、第１の低消費電力モードから通常モードに移行する（時刻ｔ１）。具体的には、第１の割り込み信号によって発振回路１７とメイン回路およびタイマー回路との間の図示しないスイッチが短絡されて、発振回路１７からクロックが供給されるようになる。第１の割り込み信号の入力有無は、第１の割り込み信号のエッジ（立上りまたは立下り）に基づいて判断される。その後、マイコン１１は、割り込み端子１４を介してメイン回路１６に入力される第１の割り込み信号を受け付けないように無効にする（Ｓ３１１）。次に、タイマー回路１８のカウント動作を開始し、発振回路１７からのクロックに基づいて所定時間（例えば、２５０マイクロ秒）をカウント開始する（Ｓ３１２）。さらに、マイコン１１は、タイマー回路１８からの第２の割り込み信号を受け付けることができるように有効にする（Ｓ３１２）。後述するが、タイマー回路１８は、２５０マイクロ秒をカウントする毎に、メイン回路１６に割り込み信号を与える。次に、マイコン１１は、リモコン信号を受信中である旨を示すフラグをセットする（Ｓ３１３）。
【００２８】
マイコン１１のメイン回路１６はリモコン信号のコード内容を解析する（Ｓ３０１）。リモコン信号のコード内容は、代表的には、リモコン信号がハイレベルであるかローレベルであるかを判断することにより解析される。次に、マイコン１１は、機器がスタンバイ状態であるか否かを判断する（Ｓ３０２）。ここでは、スタンバイ状態であるので（Ｓ３０２：ＹＥＳ）、次にマイコン１１は、リモコン信号を受信し終えたか否かを、例えば受信済のリモコン信号のビット数を確認することにより判断する（Ｓ３０３）。すなわち、リモコン信号を解析し終えたか否かを判断する。ここでは、まだリモコン信号を受信し終えていないので（Ｓ３０３：ＮＯ）、マイコン１１は、リモコン信号を受信中であるか否かをフラグの設定状態に基づいて判断する（Ｓ３０７）。Ｓ３１３でフラグがセットされているので（Ｓ３０７：ＹＥＳ）、マイコン１１は、メイン回路１６が発振回路１７にメイン回路１６のみクロック供給を停止するよう指示することにより、時刻ｔ２で第２の低消費電力モードに移行する（Ｓ３１４）。すなわち、メイン回路１６にクロックが供給されないが、タイマー回路１８にはクロックが供給されている。これは、タイマー回路１８のカウント動作を継続させるためである。従って、通常モードに比べて消費電力を低減できるが、Ｓ３１０の第１の低消費電力モードに比べて消費電力がやや大きくなっている。マイコン１１は、Ｓ３１２でタイマー回路１８のカウント動作を開始しているので、時刻ｔ１から２５０マイクロ秒後の時刻ｔ３に、タイマー回路１８からメイン回路１６に第２の割り込み信号が入力されて、第２の低消費電力モードから通常モードに移行する。具体的には、第２の割り込み信号によって発振回路１７とメイン回路との間の図示しないスイッチが短絡されて、発振回路１７からクロックが供給されるようになる。
【００２９】
すなわち、マイコン１１は時刻ｔ１からｔ２までは通常モードであり、リモコン信号のコード内容を解析するが、時刻ｔ２からｔ３までは第２の低消費電力モードであり、動作を停止し、消費電力を低減している。なお、時刻ｔ１からｔ２までの時間間隔は、Ｓ３０１，Ｓ３０２，Ｓ３０３，Ｓ３０７，Ｓ３１４をマイコンが処理するまでの時間であり、例えば５０マイクロ秒である。この時間が短い方が、通常モードの期間が短くなり、期間Ｔ２における平均消費電力をより低減することができる。
【００３０】
マイコン１１は、時刻ｔ３にリモコン信号のコード内容を解析し（Ｓ３０１）、機器がスタンバイ状態であり（Ｓ３０２：ＹＥＳ）、リモコン信号を受信し終えておらず（Ｓ３０３：ＮＯ）、リモコン信号を受信中である（Ｓ３０７：ＹＥＳ）と判断されて、時刻ｔ４で第２の低消費電力モードに移行する（Ｓ３１４）。マイコン１１は、Ｓ３１２でタイマー回路１８をカウント動作させているので、時刻ｔ３から２５０マイクロ秒後の時刻ｔ５に、タイマー回路１８からメイン回路１６に第２の割り込み信号が入力されて通常モードに移行する。すなわち、マイコン１１は時刻ｔ３からｔ４までは通常モードであり、リモコンコードを解析するが、時刻ｔ４からｔ５までは第２の低消費電力モードであり、動作を停止している。このように、リモコン信号を受信し終えるまでは（Ｓ３０３でＹＥＳと判断されるまで）、以上の動作を繰り返し、マイコン１１は通常モードと第２の低消費電力モードとを２５０マイクロ秒の周期で繰り返す。
【００３１】
次に、リモコン信号を解析し終えた後の処理（期間Ｔ３）について説明する。図２（ａ）は、リモコン信号が実行不要信号である場合を示し、図２（ｂ）は、リモコン信号が実行必要信号である場合をそれぞれ示す（なお、期間Ｔ１およびＴ２は、図２（ａ）、（ｂ）共に同一である）。ここで、実行必要信号とは、メイン回路１６が被制御回路１５を動作させる必要のある信号であり、ＣＤプレーヤーの場合、例えば、「パワーオン／スタンバイ」、「トレイオープン／クローズ」「プレイ」等である。すなわち、実行必要信号は、機器がスタンバイ状態を解除してパワーオン状態になる必要のある信号である。一方、実行不要信号とは、メイン回路１６が被制御回路１５を動作させる必要のない信号であり、ＣＤプレーヤーの場合、例えば、「ストップ」、「スキップ」等である。すなわち、実行不要信号は、機器がスタンバイ状態を解除する必要のない信号である。
【００３２】
まず、図２（ａ）の場合について説明する。マイコン１１は、時刻ｔｎ−１に、リモコン信号を解析し（Ｓ３０１）、リモコン信号を受信し終えたと判断すると（Ｓ３０３：ＹＥＳ）、Ｓ３１３でセットしたフラグをリセットして（Ｓ３０４）、リモコン信号が、Ｓ３０１での解析の結果、実行必要信号であるか否かを判断する（Ｓ３０５）。ここでは、実行不要信号であるので（Ｓ３０５：ＮＯ）、マイコン１１は、タイマー回路１８のカウント動作を停止させて、タイマー回路１８から第２の割り込み信号を受け付けないように無効にする（Ｓ３０８）。次に、マイコン１１は、リモコン受信回路１２から割り込み端子１４を介して入力される第１の割り込み信号を受け付けることができるように有効にする（Ｓ３０９）。その後、マイコン１１は、時刻ｔｎに第１の低消費電力モードに移行する（Ｓ３１０）。従って、図２（ａ）の場合には、リモコン信号の受信中だけ間欠動作を実行し、間欠動作の終了後、再び第１の低消費電力モードに移行する。つまり、リモコン信号が実行不要信号である場合、機器はスタンバイ状態を解除せず、以後、マイコン１１は第１の低消費電力モードを継続する。
【００３３】
次に、図２（ｂ）の場合について説明する。マイコン１１は、リモコン信号が、Ｓ３０１での判断の結果、実行必要信号と判断される（Ｓ３０５：ＹＥＳ）と、スタンバイ状態を解除してパワーオン状態になる（Ｓ３０６）。すなわち、この場合は、時刻ｔｎ−１以降は、マイコン１１は通常モードを継続することになる。従って、図２（ｂ）の場合には、リモコン信号の受信中だけ間欠動作を実行し、間欠動作の終了後、通常モードを継続する。つまり、リモコン信号が実行必要信号である場合、機器はスタンバイ状態からパワーオン状態になり、以後、マイコン１１は通常モードを継続する。
【００３４】
なお、スタンバイ状態が解除されているパワーオン状態の時に、リモコン信号を受信した場合には、Ｓ３０２でマイコンはスタンバイ状態ではないと判断するので、割り込み処理を終了する。
【００３５】
さらに、図３のＳ３０３においてリモコン信号を受信し終えたか否かの判断については、リモコン信号を正確に全て受信し終えた場合以外も含まれる。例えば、リモコン信号が正しいリモコン信号でない場合には、その旨を判断した時点でリモコン信号を破棄するが、その場合にもＳ３０３でリモコン信号を受信し終えたと判断する。このときもＳ３０５でリモコン信号が実行不要信号と判断され、第１の低消費電力モードに移行する（Ｓ３１０）。なお、正しいリモコン信号でないとは、リモコン信号のリーダーコードまたはカスタムコードが異なる場合である。リーダーコードは、正しい規格のリモコン信号と、規格の異なるリモコン信号またはリモコン信号以外の妨害信号とを区別するためのコードである。カスタムコードは、正しいリモコン送信機からのリモコン信号と、異なるリモコン送信機からのリモコン信号とを区別するためのコードである。同様に、リモコン信号が途中までしか受信できなかった場合、またはリモコン信号に妨害信号が混入しコードを解析できなかった場合にも、リモコン信号を破棄して、Ｓ３０３でリモコン信号を受信し終えたと判断する。この場合にもＳ３０５でリモコン信号が実行不要信号と判断され、第１の低消費電力モードに移行する（Ｓ３１０）。
【００３６】
以上のように、本実施形態の低消費電力装置１０は、スタンバイ状態においてリモコン信号を受信し解析している間は、通常モードと第２の低消費電力モードとを周期的に繰り返すので、リモコン信号受信中のマイコンの平均消費電力を低減できる。
【００３７】
以上、本発明の好ましい実施形態を説明したが、本発明はこれらの実施形態には限定されない。
【産業上の利用可能性】
【００３８】
本発明は、スタンバイ状態の省電力化が望まれている電子機器、特に、ＴＶ、オーディオ装置、ＡＶレシーバおよびＤＶＤプレーヤー等のＡＶ機器、あるいはパーソナルコンピュータ等に好適に採用され得る。
【図面の簡単な説明】
【００３９】
【図１】本発明の好ましい実施形態による低消費電力装置を示すブロック図である。
【図２】（ａ）および（ｂ）は、本実施形態の低消費電力装置の動作を示すタイムチャートである。
【図３】本実施形態の低消費電力装置の動作を示すフローチャートである。
【符号の説明】
【００４０】
１０            低消費電力装置
１１            制御手段
１２            リモコン受信回路
１３            メモリ
１４            割り込み端子
１５            被制御部
１６            メイン回路
１７            発振回路
１８            タイマー回路
【図１】
2006190224.tif 000003
【図２】
2006190224.tif 000004
【図３】
2006190224.tif 000005
【手続補正書】
【提出日】平成17年5月27日(2005.5.27)
【手続補正１】
【補正対象書類名】特許請求の範囲
【補正対象項目名】請求項１
【補正方法】変更
【補正の内容】
【請求項１】
低消費電力モードと通常モードとを有し、入力されたリモコン信号に基づく第１の割り込み信号が入力される割り込み端子を含む制御手段を備え、
該制御手段が、該第１の割り込み信号が該割り込み端子を介して該制御手段に入力されると、低消費電力モードと通常モードとを周期的に繰り返す間欠動作を実行し、
該リモコン信号を受信し終えた場合に該間欠動作を終了する、低消費電力装置。
【手続補正２】
【補正対象書類名】特許請求の範囲
【補正対象項目名】請求項６
【補正方法】変更
【補正の内容】
【請求項６】
低消費電力モードと通常モードとを有し、入力されたリモコン信号に基づく第１の割り込み信号が入力される割り込み端子を含む制御手段を備え、
該制御手段が、該第１の割り込み信号が該割り込み端子を介して該制御手段に入力されるまで低消費電力モードを継続し、
該第１の割り込み信号が該割り込み端子を介して該制御手段に入力されると、低消費電力モードと通常モードとを周期的に繰り返す間欠動作を実行する、低消費電力装置。